(57)【要約】【課題】建物の壁面にクロス、壁紙等を貼り付ける際に、カッターナイフで切断されるクロス等の継ぎ合わせ部（ジョイント部）と下地ボードとの間に挿入して、下地ボードにおける連続した直線状の傷発生を防止できる下敷きテープを提供する。【解決手段】下地ボードに貼られるクロスのジョイント部の切断に際し該ジョイント部の下側に配置して下地ボードを保護するためのテープであって、合成樹脂繊維又は天然繊維で形成した網状シートの表裏両面側に合成樹脂フィルムを被せ、前記網状シートと表裏の合成樹脂フィルムの両側縁部のみを互いに接着させたクロス切断用下敷きテープ。【選択図】　　　　図１
2004019411.tif 000002
【特許請求の範囲】
【請求項１】
下地ボードに貼られるクロスのジョイント部の切断に際し該ジョイント部の下側に配置して下地ボードを保護するためのテープであって、柔軟な合成樹脂繊維又は天然繊維で形成した網状シートの表裏両面側に合成樹脂フィルムを被せ、前記網状シートと表裏の合成樹脂フィルムの両側縁部のみを互いに接着したことを特徴とするクロス切断用下敷きテープ。
【請求項２】
クロスに接触する側の合成樹脂フィルムの面に微細な凹凸が形成されている請求項１に記載のクロス切断用下敷きテープ。
【発明の詳細な説明】
【０００１】
【発明の属する技術分野】
本発明は、建物の壁面にクロス、壁紙等を貼り付ける際に、該クロス等の継ぎ合わせ部（ジョイント部）と下地ボードとの間に挿入して、クロスの切断時に下地ボードに傷がつかないように保護する下敷きテープに関するものである。
【０００２】
【従来の技術】
住宅等の壁面は、石膏ボード等を下地として、その上にクロス、壁紙（まとめて「クロス」と言う）を貼ったものが多い。このクロスは所定の幅をもつ定尺品であるから、広い壁面に貼り付ける場合は所定面積のクロスを継ぎ合わせながら貼り付けていく。この場合、クロスとクロスのジョイント部は、両クロスの端部同士を重ね合わせたまま貼り合わせると、その部分が盛り上がって美観を損なうので、一旦クロスの端縁部同士を重ね合わせた状態でその重ね合わせ部を直線状に切断し、両クロスの端部同士を突き合わせた状態として、継ぎ目が目立たないようにしている。
【０００３】
【発明が解決しようとする課題】
上記クロスのジョイント部の切断は、カッターナイフを用いて行っているが、切断時にカッターナイフの刃先が下地ボードに当たるため、ボードに直線状の傷がつき、これがクロス表面に現れて美観を損ねることが多かった。また、このような直線状の連続した傷が下地ボードにつくと、その部分からクロスが剥れるという問題点があった。これを改良するため、クロスのジョイント部を切断する時は、当該クロスの下側に保護用のテープを敷いてカッターナイフの刃先が直接ボードに当たらないようにしている。
【０００４】
従来、この目的で使用されてきた下敷きテープとしては、薄い合成樹脂フィルムや、合成樹脂製のネットがある。このうち、従来の合成樹脂製のネットは、熱融着性を有する合成樹脂の縦糸と横糸を直交するように配置し、各交差部を熱融着によって互いに固定したものである。しかしながら、上記合成樹脂フィルムは、薄くて強度も低いため、カッターナイフによって容易に切断され、ボードに直線状の連続傷がつくという問題点があった。また、上記ネットでつくられた下敷きテープは、縦糸と横糸との交差点を熱融着によって扁平化した薄いものであり、カッターナイフが直接ネットに当たるため、クロスの切断時にカッターナイフが横糸を切断して下地に連続的な直線状の傷を付けやすかった。ネットを構成する縦糸や横糸に太い糸を使用すれば、この問題は解消されるが、太い糸で編んだネットは、重量が増えるとともに、しなやかさが失われるので、取扱いにくいという問題点があった。
【０００５】
上記従来の下敷きテープの問題点を解決するものとして、本発明者は、合成樹脂繊維又は天然繊維の糸で形成した網状の編物又は織物からなる下敷きテープを開発し、すでに特許出願している（特願２０００−２１６３０６号）。この新たに開発した下敷きテープは、下敷きボードの保護上すぐれたものであるが、網面がじかにクロスに密着させられるため、該クロスの糊が下敷きテープ側に転写され、クロスの接着強度が低下するおそれがあった。また、テープ自体が網で形成され、切断時にはクロスとボードに挟まれて固定されているため、カッターナイフの刃先が当たった時に網を構成する糸が切断されやすく、連続的な傷を防止する点で十分に満足できるものとは言えなかった。そこで本発明は、比較的軽量で、取扱いやすく、しかもクロスの切断時にボードに直線状の連続した傷をつけにくい下敷きテープを提供することを課題としている。
【０００６】
【課題を解決するための手段】
上記課題を解決するため、本発明は次のような構成を採用した。すなわち、本発明にかかるクロス切断用下敷きテープは、下地ボードに貼られるクロスのジョイント部の切断に際し該ジョイント部の下側に配置して下地ボードを保護するためのテープであって、柔軟な合成樹脂繊維又は天然繊維で形成した網状シートの表裏両面側に合成樹脂フィルムを被せ、前記網状シートと表裏の合成樹脂フィルムの両側縁部のみを互いに接着させたことを特徴としている。
【０００７】
この下敷きテープは、柔軟な合成樹脂繊維等からなる網状シートを合成樹脂フィルムで包んだものであり、該網状シートと合成樹脂フィルムとは互いにその側縁部だけで接着されているので、網状シートが合成樹脂フィルムの袋に包まれた状態となっている。このため、カッターナイフで切ろうとすると、上側の合成樹脂フィルムを切り裂いたカッターナイフの刃先が網状シートの柔軟な横糸に引っ掛かる。このとき、網状シートの横糸は強固に固定されているわけではなく、スライド可能であるから、直ちに切断されずに該カッターナイフの刃先に引っ掛かったまま下側のフィルム上を切断方向へスライドする。横糸がある程度移動した後は、カッターナイフの刃先が当該横糸を乗り越えて切断方向に移動するか、又は横糸が切断されるが、この間カッターナイフの刃先は断続的にボードに当接することになり、連続的な傷はつきにくい。
【０００８】
【発明の実施の形態】
以下、本発明の好ましい実施形態について具体的に説明する。
図１は本発明の下敷きテープの外観図であり、この下敷きテープ１は合成樹脂繊維の糸（合成糸）２を編んで作った網状シート（ネット）３と、該ネットの両面側に被せられた合成樹脂フィルム５，５からなる。このテープ１の幅は、クロスのジョイント部切断時に当該ジョイント部の下側をカバーできる大きさであればよく、一般的には２０〜１００ｍｍとするのが好ましく、３０〜５０ｍｍとするのがより好ましい。この幅が小さ過ぎると、施工時のずれにより切断線上の下地ボードが露出するおそれがあり、大き過ぎると取扱上不便であるとともに不経済である。また、このテープ１の厚みは、１ｍｍ以下としておくのが好ましい。この厚みが厚過ぎると使用しにくく、コストも高くなる。この下敷きテープは、図２に示すように、長尺品をロールに巻いておき、施工現場で必要な長さに切り出して使用するようにするのが便利である。
【０００９】
図３はこの下敷きテープ１のネット３を例示するもので、縦糸２ａと横糸２ｂが交互に上下した状態でネットを構成している。ネット３の網目は概略四角形であり、その網目の大きさｄは、２〜５ｍｍ程度とするのが好ましい。網目の大きさｄが小さ過ぎると、しなやかさや軽量性の点で好ましくない。逆に網目が開き過ぎていると、ボードに連続傷がつきやすい。なお、網目の間隔は、横糸同士の間隔（ｄ）が縦糸同士の間隔（ｄ’）よりも短くなっている（例えば同じ距離内では、横糸５本に対し縦糸３本程度）。このネット３は、縦方向及び横方向に共に伸度があるので、使い勝手がよい。素材である合成糸の材質としては、ナイロン、ビニロン、ポリエステル、ポリプロピレン、ポリエチレン等が使用可能であるが、強度、価格等の見地からナイロンを使用するのが最も好ましい。場合によっては、天然繊維を用いることもできる。糸はマルチフィラメントやステープルの構造のものが一般的であり、糸の太さは数十デニールから数百デニールのものが好ましく、１５０〜５００デニールのものがより好ましい。場合によっては合成糸としてモノフィラメントの使用も可能である。
【００１０】
合成樹脂フィルム５は、例えばポリプロピレンフィルムであり、少なくとも上側フィルム（切断時に上側になるフィルム）の表面には、エンボス加工により、微細な凹凸（深さ１ｍｍ以下）４，…が形成されている。これは、その上にクロスが重ねられたとき、該クロスの裏面に塗布されている糊を取らないためである。ポリプロピレンフィルム自体が糊を転写しにくいが、このように微細なエンボス加工を施しておくと、フィルムが平面でクロスに密着しないので、糊の転写量が少なくてすみ、クロスの接着強度をそれほど低下させなくてすむのである。
【００１１】
上記ネット３と合成樹脂フィルム５，５は、ネット３を合成樹脂フィルム５，５で挟んだ状態で、その両側縁部のみで接着一体化されている。この接着部１ａの幅は片側５ｍｍ程度であり、該接着部の間隔部すなわちテープ１の中央部では、ネット３と合成樹脂フィルム５，５とが互いに分離している。換言すれば、ネット３の中央部は、合成樹脂フィルムの鞘もしくは袋に収納されている状態となっている。このため、ネット３は合成樹脂フィルムに対し自由に変形することができる。
【００１２】
図４は、この下敷きテープ１の使用法を例示するもので、石膏の下地ボード１０の表面に貼られるクロス１１，１２のジョイント部Ｊの下側に、該クロスの端縁に沿ってこの下敷きテープ１を敷く。この下敷きテープ１の上に両側のクロス１１，１２の端部を重ね合わせ、両者が重なり合った部分をクロスの端縁に沿う切断線Ｌでカッターナイフ等を用いて切断する。この時、カッターナイフは重なり合った両方のクロスを同時に直線状に切断するが、クロスの下側には下敷きテープ１が敷かれているので、カッターナイフの刃先は、このテープ１に当接することになり、下地ボード１０の表面に傷がつきにくい。
【００１３】
この下敷きテープ１におけるカッターナイフの刃先が当たる部分では、合成樹脂フィルム５とネット３とが分離され、ネットの糸が移動可能な状態となっているので、上側の合成樹脂フィルムを切り裂いたカッターナイフの刃先がネットの糸（比較的切断されにくい）に当たってもすぐには切断されず、図５に示すように、該カッターナイフの刃先２０に糸が引っ掛かって該刃先とともに切断方向（カッターの進む方向）へたるんでスリップする。このため、ボードへの刃先の食い込みが少なく、深い傷がつきにくい。また、糸がたるむことによって、該糸を緊張させる張力がそれほど作用しないので、カッターナイフの刃先が当たっても切断されにくい。カッターナイフの刃先が糸を引っ張ってある程度移動した後は、該刃先が糸を切断するか、又は糸を乗り越えて移動する。いずれにしても、糸がカッターナイフを持つ手に抵抗感を与えるので、クロスが切断されたことを認識しやすく、下地ボード１０に対するカッターナイフの押し付け力を調節する目安となる。また、糸が切断される場合でも、傷は連続傷とはならず、糸によって非連続部が形成される。このため、クロスの剥れの問題が生じにくい。さらに、この下敷きテープ１は、ネットの下側にも合成樹脂フィルムが設けられているので、これによっても下地ボード１０に深い傷は生じにくい。
【００１４】
クロスの切断を終了すれば、下敷きテープ１とクロスの切れ端を取り除き、両側のクロス１１，１２の端部を下地ボード１０表面に接着する。下敷きテープ１の表面の合成樹脂フィルム５にはエンボス加工により微細な凹凸が形成されているので、クロスの糊が転写されにくい。以上により、両側のクロスの端部が直線状にきれいに突き合わされた状態となるので、外見上切断線が目立たない。
【００１５】
この下敷きテープ１を用いてクロスのジョイント部を切断すると、上記の通り下地ボードに従来のような直線状の傷がつきにくい。このため、美麗な仕上がりが得られるとともに、従来のようなジョイント部の剥離等が生じない。また、下敷きテープ１は網状シートの表面に合成樹脂フィルムが被せられているので、クロスの裏面の糊を取りにくく、ボードに対する切断後のクロスの接着力を低下させないという利点がある。さらに、この下敷きテープ１は、軽量でしなやかなものとすることができ、施工現場での取扱に便利である。
【００１６】
【発明の効果】
以上の説明から明らかなように、本発明にかかる下敷きテープは、下地ボードの表面にクロス、壁紙等を貼る場合に、一旦これらのジョイント部の下側に敷いて刃物で切断を行い、切断終了後はこれを取り除いてクロス等を下地ボードに接着することにより、美麗な仕上がりを得ることができる。また、下地ボードに連続的な線状の傷がつかないので、従来しばしば生じていたような、切断による下地ボードの連続傷部分からのクロス等の剥離を防止することが可能となった。さらに、この下敷きテープは、軽量でしなやかさに富むものであるから、取扱に便利である。
【図面の簡単な説明】
【図１】下敷きテープの外観図（ａ）及び断面図（ｂ）である。
【図２】下敷きテープをロール状に巻いた状態を表す外観図である。
【図３】網状シートの平面図である。
【図４】使用法を表す平面図（ａ）及び断面図（ｂ）である。
【図５】カッターナイフによる切断時の下敷きテープの説明図である。
【符号の説明】
１　　　　下敷きテープ
２　　　　糸
３　　　　網状シート（ネット）
５　　　　合成樹脂フィルム
１０　　　　下地ボード
１１，１２　クロス
【図１】
2004019411.tif 000003
【図２】
2004019411.tif 000004
【図３】
2004019411.tif 000005
【図４】
2004019411.tif 000006
【図５】
2004019411.tif 000007